(57)【要約】      （修正有）【課題】携帯型電子装置に応用される複数の電子ファイルを選択する方法の提供。【解決手段】携帯型電子装置に応用される複数の電子ファイルを選択する方法において、（Ａ）電子目録の電子ファイルを選択するステップ、（Ｂ）全項目選択か局部項目選択か、一項目選択かを判断するステップ、（Ｃ）電子目録の全部或いは局部の電子ファイルを選択するステップ、（Ｄ）選択した各電子ファイルに対して編集処理を行なうステップを具える。【選択図】図１
2006190233.tif 000002
【特許請求の範囲】
【請求項１】
携帯型電子装置に応用される複数の電子ファイルを選択する方法において、
（Ａ）電子目録の電子ファイルを選択するステップ、
（Ｂ）全項目選択か局部項目選択かを判断するステップ、
（Ｃ）電子目録の全部或いは局部の電子ファイルを選択するステップ、
（Ｄ）選択した各電子ファイルに対して編集処理を行なうステップ、
以上のステップを具えたことを特徴とする、携帯型電子装置に応用される複数の電子ファイルを選択する方法。
【請求項２】
請求項１記載の携帯型電子装置に応用される複数の電子ファイルを選択する方法において、編集処理は、選択した電子ファイルに対する切り取り、複製、貼り付け、再生とされうることを特徴とする、携帯型電子装置に応用される複数の電子ファイルを選択する方法。
【請求項３】
請求項１記載の携帯型電子装置に応用される複数の電子ファイルを選択する方法において、（Ｃ）のステップは更に、選択取消する電子ファイルの選択を包含することを特徴とする、携帯型電子装置に応用される複数の電子ファイルを選択する方法。
【請求項４】
請求項１記載の携帯型電子装置に応用される複数の電子ファイルを選択する方法において、携帯型電子装置がＭＰ３プレイヤーとされたことを特徴とする、携帯型電子装置に応用される複数の電子ファイルを選択する方法。
【請求項５】
請求項１記載の携帯型電子装置に応用される複数の電子ファイルを選択する方法において、携帯型電子装置の機能キーが押される時、該携帯型電子装置が全選択項目を提供することを特徴とする、携帯型電子装置に応用される複数の電子ファイルを選択する方法。
【請求項６】
携帯型電子装置に応用される複数の電子ファイルを選択する方法において、
（Ａ）電子目録の始点電子ファイルを選択するステップ、
（Ｂ）局部選択項目が選択されたかを判断するステップ、
（Ｃ）電子目録の終点電子ファイルを選択するステップ、
（Ｄ）始点電子ファイルから終点電子ファイルまでの複数の電子ファイルを選択するステップ、
（Ｅ）選択した各電子ファイルに対して編集処理を行なうステップ、
以上のステップを具えたことを特徴とする、携帯型電子装置に応用される複数の電子ファイルを選択する方法。
【請求項７】
請求項６記載の携帯型電子装置に応用される複数の電子ファイルを選択する方法において、編集処理は、選択した電子ファイルに対する切り取り、複製、貼り付け、再生とされうることを特徴とする、携帯型電子装置に応用される複数の電子ファイルを選択する方法。
【請求項８】
請求項６記載の携帯型電子装置に応用される複数の電子ファイルを選択する方法において、（Ｄ）のステップは更に、選択取消する電子ファイルの選択を包含することを特徴とする、携帯型電子装置に応用される複数の電子ファイルを選択する方法。
【請求項９】
請求項６記載の携帯型電子装置に応用される複数の電子ファイルを選択する方法において、携帯型電子装置がＭＰ３プレイヤーとされたことを特徴とする、携帯型電子装置に応用される複数の電子ファイルを選択する方法。
【請求項１０】
請求項６記載の携帯型電子装置に応用される複数の電子ファイルを選択する方法において、携帯型電子装置の機能キーが押される時、該携帯型電子装置が局部選択項目を提供することを特徴とする、携帯型電子装置に応用される複数の電子ファイルを選択する方法。
【請求項１１】
携帯型電子装置に応用される複数の電子ファイルを選択する方法において、
（Ａ）電子目録の始点電子ファイルを選択するステップ、
（Ｂ）多次選択項目が選択されたかを判断するステップ、
（Ｃ）電子目録中の必要な複数の電子ファイルを選択するステップ、
（Ｄ）選択した各電子ファイルに対して編集処理を行なうステップ、
以上のステップを具えたことを特徴とする、携帯型電子装置に応用される複数の電子ファイルを選択する方法。
【請求項１２】
請求項１１記載の携帯型電子装置に応用される複数の電子ファイルを選択する方法において、編集処理は、選択した電子ファイルに対する切り取り、複製、貼り付け、再生とされうることを特徴とする、携帯型電子装置に応用される複数の電子ファイルを選択する方法。
【請求項１３】
請求項１１記載の携帯型電子装置に応用される複数の電子ファイルを選択する方法において、（Ｃ）のステップは更に、選択取消する電子ファイルの選択を包含することを特徴とする、携帯型電子装置に応用される複数の電子ファイルを選択する方法。
【請求項１４】
請求項１１記載の携帯型電子装置に応用される複数の電子ファイルを選択する方法において、携帯型電子装置がＭＰ３プレイヤーとされたことを特徴とする、携帯型電子装置に応用される複数の電子ファイルを選択する方法。
【請求項１５】
請求項１１記載の携帯型電子装置に応用される複数の電子ファイルを選択する方法において、携帯型電子装置の機能キーが押される時、該携帯型電子装置が多次選択項目を提供することを特徴とする、携帯型電子装置に応用される複数の電子ファイルを選択する方法。
【発明の詳細な説明】
【技術分野】
【０００１】
本発明は複数の電子ファイルを選択する方法に係り、特に携帯型電子装置に応用される複数の電子ファイルを選択する方法に関する。
【背景技術】
【０００２】
一般に固定式電子装置、例えばデスクトップ型コンピュータは、それに組み合わされるキーボードが豊富なキーを提供し、更にマウスが組み合わされて操作される。これにより固定式電子装置は電子目録にある複数の電子ファイルを選択（全部選択或いは局部選択を包含する）する時、適当なキーを組み合わせるだけで、複数の電子ファイルを選択する目的を達成することができる。
【０００３】
しかし、伝統的に、キーが少ない携帯型デジタル製品の管理機能の多くは、単一機能動作に対応する。それに対して、ウインドウソフト及びタッチコントロール機能を具えたタッチパネルは複数の項目を選択する操作に便利である。しかしその他のハードウエアのキーによる制御に限られる小サイズの製品は、単一のファイル選択操作しかできない。
【発明の開示】
【発明が解決しようとする課題】
【０００４】
伝統的な技術の、キーが少な過ぎ、複数の項目の選択操作が行なえない欠点に対して、本発明は複数の電子ファイルを選択する方法を提供する。それは携帯型電子装置に応用される方法であり、（Ａ）電子目録の電子ファイルを選択するステップ、（Ｂ）全項目選択か局部項目選択かを判断するステップ、（Ｃ）電子目録の全部或いは局部の電子ファイルを選択するステップ、（Ｄ）選択した各電子ファイルに対して編集処理を行なうステップ、以上のステップを具えている。
【０００５】
本発明はまた一種の携帯型電子装置に応用される複数の電子ファイルを選択する方法を提供し、それは、（Ａ）電子目録の始点電子ファイルを選択するステップ、（Ｂ）項目が選択されたかを判断するステップ、（Ｃ）電子目録中の必要な複数の電子ファイルを選択するステップ、（Ｄ）選択した各電子ファイルに対して編集処理を行なうステップ、以上のステップを具えている。
【０００６】
本発明はまた一種の携帯型電子装置に応用される複数の電子ファイルを選択する方法を提供し、それは、（Ａ）電子目録の始点電子ファイルを選択するステップ、（Ｂ）全項目選択か局部項目選択かを判断するステップ、（Ｃ）電子目録の始点電子ファイルと終点電子ファイルの間に介在する複数の電子ファイルを選択するステップ、（Ｄ）選択した各電子ファイルに対して編集処理を行なうステップ、以上のステップを具えている。
【０００７】
本発明の複数の電子ファイルを選択する方法は、ハードウエアキー制御に制限される小サイズの製品であっても、敏捷に複数項目選択の機能を達成できるようにする。
【０００８】
本発明中、編集処理は各電子ファイルの切り取り、複製、貼り付けとされ、並びに電子ファイル選択完成後には更に少なくとも一つの電子ファイルの選択取消が行なえ、また、携帯型電子装置はＭＰ３プレイヤーとされうる。
【課題を解決するための手段】
【０００９】
請求項１の発明は、携帯型電子装置に応用される複数の電子ファイルを選択する方法において、
（Ａ）電子目録の電子ファイルを選択するステップ、
（Ｂ）全項目選択か局部項目選択かを判断するステップ、
（Ｃ）電子目録の全部或いは局部の電子ファイルを選択するステップ、
（Ｄ）選択した各電子ファイルに対して編集処理を行なうステップ、
以上のステップを具えたことを特徴とする、携帯型電子装置に応用される複数の電子ファイルを選択する方法としている。
請求項２の発明は、請求項１記載の携帯型電子装置に応用される複数の電子ファイルを選択する方法において、編集処理は、選択した電子ファイルに対する切り取り、複製、貼り付け、再生とされうることを特徴とする、携帯型電子装置に応用される複数の電子ファイルを選択する方法としている。
請求項３の発明は、請求項１記載の携帯型電子装置に応用される複数の電子ファイルを選択する方法において、（Ｃ）のステップは更に、選択取消する電子ファイルの選択を包含することを特徴とする、携帯型電子装置に応用される複数の電子ファイルを選択する方法としている。
請求項４の発明は、請求項１記載の携帯型電子装置に応用される複数の電子ファイルを選択する方法において、携帯型電子装置がＭＰ３プレイヤーとされたことを特徴とする、携帯型電子装置に応用される複数の電子ファイルを選択する方法としている。
請求項５の発明は、請求項１記載の携帯型電子装置に応用される複数の電子ファイルを選択する方法において、携帯型電子装置の機能キーが押される時、該携帯型電子装置が全選択項目を提供することを特徴とする、携帯型電子装置に応用される複数の電子ファイルを選択する方法としている。
請求項６の発明は、携帯型電子装置に応用される複数の電子ファイルを選択する方法において、
（Ａ）電子目録の始点電子ファイルを選択するステップ、
（Ｂ）局部選択項目が選択されたかを判断するステップ、
（Ｃ）電子目録の終点電子ファイルを選択するステップ、
（Ｄ）始点電子ファイルから終点電子ファイルまでの複数の電子ファイルを選択するステップ、
（Ｅ）選択した各電子ファイルに対して編集処理を行なうステップ、
以上のステップを具えたことを特徴とする、携帯型電子装置に応用される複数の電子ファイルを選択する方法としている。
請求項７の発明は、請求項６記載の携帯型電子装置に応用される複数の電子ファイルを選択する方法において、編集処理は、選択した電子ファイルに対する切り取り、複製、貼り付け、再生とされうることを特徴とする、携帯型電子装置に応用される複数の電子ファイルを選択する方法としている。
請求項８の発明は、請求項６記載の携帯型電子装置に応用される複数の電子ファイルを選択する方法において、（Ｄ）のステップは更に、選択取消する電子ファイルの選択を包含することを特徴とする、携帯型電子装置に応用される複数の電子ファイルを選択する方法としている。
請求項９の発明は、請求項６記載の携帯型電子装置に応用される複数の電子ファイルを選択する方法において、携帯型電子装置がＭＰ３プレイヤーとされたことを特徴とする、携帯型電子装置に応用される複数の電子ファイルを選択する方法としている。
請求項１０の発明は、請求項６記載の携帯型電子装置に応用される複数の電子ファイルを選択する方法において、携帯型電子装置の機能キーが押される時、該携帯型電子装置が局部選択項目を提供することを特徴とする、携帯型電子装置に応用される複数の電子ファイルを選択する方法としている。
請求項１１の発明は、携帯型電子装置に応用される複数の電子ファイルを選択する方法において、
（Ａ）電子目録の始点電子ファイルを選択するステップ、
（Ｂ）多次選択項目が選択されたかを判断するステップ、
（Ｃ）電子目録中の必要な複数の電子ファイルを選択するステップ、
（Ｄ）選択した各電子ファイルに対して編集処理を行なうステップ、
以上のステップを具えたことを特徴とする、携帯型電子装置に応用される複数の電子ファイルを選択する方法としている。
請求項１２の発明は、請求項１１記載の携帯型電子装置に応用される複数の電子ファイルを選択する方法において、編集処理は、選択した電子ファイルに対する切り取り、複製、貼り付け、再生とされうることを特徴とする、携帯型電子装置に応用される複数の電子ファイルを選択する方法としている。
請求項１３の発明は、請求項１１記載の携帯型電子装置に応用される複数の電子ファイルを選択する方法において、（Ｃ）のステップは更に、選択取消する電子ファイルの選択を包含することを特徴とする、携帯型電子装置に応用される複数の電子ファイルを選択する方法としている。
請求項１４の発明は、請求項１１記載の携帯型電子装置に応用される複数の電子ファイルを選択する方法において、携帯型電子装置がＭＰ３プレイヤーとされたことを特徴とする、携帯型電子装置に応用される複数の電子ファイルを選択する方法としている。
請求項１５の発明は、請求項１１記載の携帯型電子装置に応用される複数の電子ファイルを選択する方法において、携帯型電子装置の機能キーが押される時、該携帯型電子装置が多次選択項目を提供することを特徴とする、携帯型電子装置に応用される複数の電子ファイルを選択する方法としている。
【発明の効果】
【００１０】
本発明の複数の電子ファイルを選択する方法は、ハードウエアキー制御に制限される小サイズの製品であっても、敏捷に複数項目選択の機能を達成できるようにする。
【発明を実施するための最良の形態】
【００１１】
複数の電子ファイルの選択は電子ファイルを全部選択するか局部選択するかに分けられ、図１は本発明の複数の電子ファイルを選択する方法を実行する携帯型電子装置を示し、以下に三つの具体的実施例により、電子ファイルの全部選択モード、局部選択モード、及び多次選択モードにおける複数の電子ファイルの選択の方法について以下に説明する。
【００１２】
第１実施例：
図５に示されるように、本発明の複数の電子ファイルを選択する方法は、同一の電子目録中の全ての電子ファイルを選択する時、以下のステップを包含する。
初期化。
ステップＳ１２：  電子目録の電子ファイルを選択する。この電子目録の電子ファイルは携帯型電子装置１０のディスプレイ１１に表示し、例えば、機能キー１３を押すことで、全選択項目及び局部選択項目が出現し、選択に供する。
ステップＳ１４：  全選択項目が選択されたか否かを判断する。全選択項目は即ち電子目録中の全ての電子ファイルを選択することであり、ゆえに使用者は必要な情況によりこれを選択する。図５に示されるように、そのうちの全部を選択したければ、上移動キー１４１及び下移動キー１４２でカーソルを全選択項目に移動させた後、確認キー／右移動キー１４４を押す。反対に使用者は全選択項目を選択しない時、リターンキー／左移動キー１４３を押せば終了にジャンプする。
ステップＳ１６：  電子目録の各電子ファイルを選択する。以上のステップＳ１４により、既に電子目録中の全ての電子ファイルが選択されている。
ステップＳ１８：  選択取消する少なくとも一つの電子ファイルを選択する。すでに全部の電子ファイルが選択されているため、少数の電子ファイルを選択取消したい場合、機能キー１３を押し並びに選択取消するファイルを選択した後、上移動キー１４１及び下移動キー１４２を押して選択取消したい電子ファイルにカーソルを移動させて確認キー／右移動キー１４４を押せば、少数の電子ファイルを選択取消でき、選択取消の動作を完成できる。
ステップＳ２０：  選択した電子ファイルに対して編集処理を行なう。使用者が前述のステップを経過した後、例えば機能キー１３を押せば、前述の既に選択したファイルに対して複製、貼り付け、永久削除、切り取り、及び再生を行なうことができる。
終了。
【００１３】
第２実施例：
図６、７に示される本発明の複数の電子ファイルを選択する方法は、同一電子目録の局部電子ファイルを選択し、それは以下のステップを含む。
初期化。
ステップＳ２２：  電子目録の始点電子ファイルを選択する。この電子目録の電子ファイルは携帯型電子装置１０のディスプレイ１１に表示し、図６に示されるように、例えば、機能キー１３を押すことで、全選択項目及び局部選択項目が出現し、選択に供する。使用者は局部選択始点のボタンを押し、即ち、上移動キー１４１或いは下移動キー１４２を使用して局部選択始点選択にカーソルを移動させ、続いて確認キー／右移動キー１４４を押して確定する。
ステップＳ２４：  局部選択項目を選択したか否かを判断する。局部選択項目は即ち電子目録中の局部の電子ファイルを選択することであり、ゆえに使用者は必要な情況によりこれを選択する。局部選択する場合、まず、上移動キー１４１及び下移動キー１４２でカーソルを局部選択項目に移動させた後、確認キー／右移動キー１４４を押して確定する。反対に選択しない場合は、使用者がリターンキー／左移動キー１４３を押すことで終了にジャンプする。
ステップＳ２６：  電子目録中より終点電子ファイルを選択する。局部選択項目は即ち電子目録中の電子ファイルの局部ファイルを選択する動作であり、図７に示されるように、上移動キー１４１或いは下移動キー１４２でカーソルを必要な局部選択終点に移動させる。
ステップＳ２８：  始点電子ファイルから終点電子ファイルまでの全ての電子ファイルを選択する。図７に示されるように、ステップＳ２６でカーソルを終点に移動させた後、確認キー／右移動キー１４４を押すことで、局部選択項目の内容が確立する。
ステップＳ２８：  少なくとも一つの電子ファイルの選択取消を行なう。局部選択項目の内容が確立した後、もし少数の電子ファイルの選択を取り消したいなら、機能キー１３を押し並びに取消選択を選択し、続いて上移動キー１４１及び下移動キー１４２を選択取消したい電子ファイルに移動させ並びに確認キー／右移動キー１４４を押せば、少数の電子ファイルの選択を取り消すことができる。
ステップＳ３２：  選択した電子ファイルに対して編集処理を行なう。使用者が前述のステップを経過した後、例えば機能キー１３を押せば、前述の既に選択したファイルに対して複製、貼り付け、永久削除、切り取り、及び再生を行なうことができる。
終了。
【００１４】
第３実施例：
図８は本発明の第３実施例の携帯型電子装置を示し、その操作方法は上述の第１実施例及び第２実施例とほぼ同じである。異なるところは、ファイル選択時に、必要に応じて一つずつ選択できることである。例えば、図８に示されるように、必要なファイルがＡファイル、Ｃファイル、Ｅファイルである時、まず、上移動キー１４１或いは下移動キー１４２でカーソルをＡファイルに移動し、続いて確認キー／右移動キー１４４を押せば、Ａファイルの選択が完成する。更に、反復してＣファイル、及びＥファイルに前述の動作を行なえば、図８に示されるように多次選択による複数の電子ファイル選択が達成できる。
【００１５】
以上の実施例は本発明の実施範囲を限定するものではなく、本発明に基づきなしうる細部の修飾或いは改変は、いずれも本発明の請求範囲に属するものとする。
【図面の簡単な説明】
【００１６】
【図１】本発明の実施例の携帯型電子装置表示図である。
【図２】本発明の実施例の全選択モードで複数の電子ファイルを選択する方法のフローチャートである。
【図３】本発明の実施例の局部選択モードで複数の電子ファイルを選択する方法のフローチャートである。
【図４】本発明の実施例の多次選択モードで複数の電子ファイルを選択する方法のフローチャートである。
【図５】本発明の第１実施例の携帯型電子装置表示図である。
【図６】本発明の第２実施例の携帯型電子装置表示図である。
【図７】本発明の第２実施例の携帯型電子装置のもう一つの表示図である。
【図８】本発明の第３実施例の携帯型電子装置のもう一つの表示図である。
【符号の説明】
【００１７】
１０  携帯型電子装置        １１  ディスプレイ
１２  再生／一次停止／切断キー
１３  機能キー
１４１  上移動キー          １４２  下移動キー
１４３  リターンキー／左移動キー    １４４  確認キー／右移動キー
【図１】
2006190233.tif 000003
【図２】
2006190233.tif 000004
【図３】
2006190233.tif 000005
【図４】
2006190233.tif 000006
【図５】
2006190233.tif 000007
【図６】
2006190233.tif 000008
【図７】
2006190233.tif 000009
【図８】
2006190233.tif 000010